(57)【要約】  本発明は、圧延機スタンド（１）に関しており、圧延機スタンド（１）は、軸方向において向かい合う２つの端面（３、４）を有する、圧延機スタンド（１）内で浮動し、軸方向に延在する回転軸（９）の周りに回転可能に取り付けられた作業ロール（２）と、少なくとも１つの軸受モジュール（６）であって、作業ロール（２）の２つの端面（３、４）の内の１つに配置され、作業ロール（２）が前記圧延機スタンド（１）内で浮動式に支持される際に用いられ、ハウジング（７）を有しており、前記ハウジング内には、作業ロール（２）が、固定軸受アセンブリ（８）を用いて取り付けられている少なくとも１つの軸受モジュール（６）と、を有している。本発明によると、軸受モジュール（６）は、支持装置（１７）を有しており、前記支持装置を用いて、軸受モジュール（６）は、圧延機スタンド（１）内で軸方向に支持可能である。
2021518814.tif 000002
【特許請求の範囲】
【請求項１】
軸方向において向かい合う２つの端面（３、４）を有する、圧延機スタンド（１）内で浮動し、軸方向に延在する回転軸（９）の周りに回転可能に取り付けられた作業ロール（２）と、
少なくとも１つの軸受モジュール（６）であって、前記作業ロール（２）の２つの端面（３、４）の内の１つに配置され、前記作業ロール（２）が前記圧延機スタンド（１）内で浮動式に支持される際に用いられ、ハウジング（７）を有しており、前記ハウジング内には、前記作業ロール（２）が、固定軸受アセンブリ（８）を用いて取り付けられている少なくとも１つの軸受モジュール（６）と、
を有する圧延機スタンド（１）において、
前記軸受モジュール（６）は、支持装置（１７）を有しており、前記支持装置を用いて、前記軸受モジュール（６）は、前記圧延機スタンド（１）内で軸方向に支持可能であることを特徴とする圧延機スタンド（１）。
【請求項２】
前記固定軸受アセンブリ（８）が、転がり軸受構造（１２）、特に予圧転がり軸受構造（１２）を用いて実現されていることを特徴とする、請求項１に記載の圧延機スタンド（１）。
【請求項３】
前記軸受モジュール（６）、特に前記ハウジング（７）が、周囲（１５）に対して、特に回転軸シール（１６）及び／又はＶリングシール（１６）及び／又はＯリングシール（１６）及び／又はラビリンスシール（１６）を用いて密閉及び／又はカプセル化されていることを特徴とする、請求項１又は２に記載の圧延機スタンド（１）。
【請求項４】
前記支持装置（１７）が、前記軸受モジュール（６）の前記ハウジング（７）上に配置されており、前記支持装置（１７）を用いて、前記ハウジング（７）が、前記圧延機スタンド（1）内で軸方向に支持可能であることを特徴とする、請求項１から３のいずれか一項に記載の圧延機スタンド（１）。
【請求項５】
前記支持装置（１７）が、軸方向支持のために、キャンバーを備えた端面（１８）を有していることを特徴とする、請求項１から４のいずれか一項に記載の圧延機スタンド（１）。
【請求項６】
前記軸受モジュール（６）が、バネ要素（２１）、特にコイルバネ（２１）を含んでおり、前記支持装置（１７）は、第１の部材及び第２の部材（１９、２０）を有しており、２つの部材（１９、２０）が、軸方向（５）において互いに対して変位可能であり、軸方向（５）において、前記バネ要素（２１）を用いてクランプ可能であることを特徴とする、請求項１から５のいずれか一項に記載の圧延機スタンド（１）。
【請求項７】
前記第１の部材（１９）が、片側が開放された中空シリンダとして構成されており、前記中空シリンダは、前記中空シリンダの開放端に、径方向に突出した縁部（３６）を有しており、前記第２の部材（２０）は、片側が開放された中空シリンダとして構成されており、前記中空シリンダは、前記中空シリンダの内側延在部分（３７）で、前記第１の部材（１９）の前記縁部（３６）を包囲していることを特徴とする、請求項６に記載の圧延機スタンド（１）。
【請求項８】
径方向外側に位置し、前記作業ロール（２）に対向する前記第２の部材（２０）の端面に、内径が前記第１の部材（１９）の前記縁部（３６）の直径よりも小さい環状ワッシャ（３８）が固定されていることを特徴とする、請求項７に記載の圧延機スタンド（１）。
【請求項９】
前記バネ要素（２１）が、前記バネ要素の第１の端部（４２）で、前記軸受モジュール（６）の前記ハウジング（７）に対して支持されており、前記バネ要素の第２の端部（４４）で、径方向内側に位置する、前記作業ロール（２）に対向する前記第２の部材（２０）の端面（４５）に対して支持されていることを特徴とする、請求項６から８のいずれか一項に記載の圧延機スタンド（１）。
【請求項１０】
前記固定軸受アセンブリ（８）が、前記作業ロール（２）の両方の端面（３、４）の内の一方に配置された、ほぼ軸方向に延在するロール延長部分（２２）を有しており、前記ロール延長部分の上に、前記固定軸受アセンブリ（８）の軸受（１２）が配置されていることを特徴とする、請求項１から９のいずれか一項に記載の圧延機スタンド（１）。
【請求項１１】
転がり軸受（１２）の、特に円すいころ軸受（１３、１４）の内輪（２３）が、前記ロール延長部分（２２）上に、特に前記ロール延長部分（２２）上で前記内輪（２３）の間に配置されたスペーサリング（２５）及び／又はシャフトナット（２６）を用いてクランプされていることを特徴とする、請求項１０に記載の圧延機スタンド（１）。
【請求項１２】
前記ロール延長部分（２２）が、前記作業ロール（２）にネジで固定され（２７）、特にセンタリングされてネジで固定されて（２７）いるか、又は、前記作業ロール（２）と一体的に構成されていることを特徴とする、請求項１０又は１１に記載の圧延機スタンド（１）。
【請求項１３】
前記ハウジング（７）が、担体要素（３０）、特に曲げシリンダ（３０）上での可動支持のための支持面（２９）を備えた、少なくとも１つの保持要素（２８）を、前記圧延機スタンド（１）内に有していることを特徴とする、請求項１から１２のいずれか一項に記載の圧延機スタンド（１）。
【請求項１４】
前記ハウジング（７）が複数の部分から、特に２つのカバー（３１、３２）と、前記２つのカバーの間に受容された中間要素（３３）とから構成されていることを特徴とする、請求項１から１３のいずれか一項に記載の圧延機スタンド（１）。
【請求項１５】
２つの軸受モジュール（６）が設けられており、２つの前記軸受モジュール（６）の内の一方は、前記作業ロール（６）の２つの前記端面（３、４）の内の一方に配置されており、２つの前記軸受モジュール（６）の内の他方は、前記作業ロール（２）の２つの前記端面（３、４）の内の他方に配置されていることを特徴とする、請求項１から１４のいずれか一項に記載の圧延機スタンド（１）。
【発明の詳細な説明】
【技術分野】
【０００１】
本発明は、請求項１のおいて書きに記載の圧延機スタンドに関する。
【背景技術】
【０００２】
圧延装置内では、例えば鋼等の圧延材の成形が、圧延機スタンドで行われる。この成形は、圧延と呼ばれる。
【０００３】
その際、圧延材の圧延は、少なくとも２つの作業ロール（以下において、概ね短縮してロールとのみ表記される）の間で行われ、当該作業ロールは、そのそれぞれ軸方向に延在する回転軸の周りに回転可能であるように、圧延機スタンド内に取り付けられている。
【０００４】
その際、圧延機スタンドの構造は、ロールの数と、ロールの位置と、ロールの形状と、圧延の間に作用する力と、圧延材の精度要件とに左右される。１つのみの圧延機スタンドを備えた圧延機もあれば、複数の前後に又は並んで配置された圧延機スタンドを備えた圧延機もある。
【０００５】
特に、５００Ｎ／ｍｍ２を超える強度、特に１０００Ｎ／ｍｍ２を超える強度を有する鋼のような、比較的高強度の、及び、高強度の鋼の圧延に関しては、当該圧延機スタンドでは、直径が小さいロール、例えば直径が１５０ｍｍから１８０ｍｍまでの範囲のロールが用いられ、これらのロールは、浮動式に圧延機スタンド内に取り付けられている。
【０００６】
「浮動式」軸受アセンブリ（しばしば「オーバーハング」軸受アセンブリとも呼ばれる）は、ロール等の、軸方向に延在する回転軸の周りを回転する要素の軸受アセンブリであると理解され、当該軸受アセンブリは（回転する要素の軸方向に延在する回転軸に関して）、軸方向において遊びを有している／可能にしている。すなわち、（浮動式に支承されるべき）要素は、軸方向においては明確に固定されていない。それによって、特に支承されるべき要素の機械的又は熱的な長さの変化が、軸受アセンブリを変形させることなく、吸収され得る。
【０００７】
このような直径が小さいロールの場合、（駆動）トルクは、機械的に制限されて、もはやロール（の端面）に配置された駆動ピンを通じて直接には伝達され得ないので、当該ロールは、専ら、ロールに対して（そのそれぞれの回転軸に関して）平行に配置され、かつ、そのそれぞれの外側面／表面を通じて、（駆動されるべき）ロールと力接続又は摩擦接続している、（それぞれ固有の回転軸の周りに回転可能に取り付けられた）中間ロールによって駆動される。
【０００８】
一般的に、これらのロールは、ストリップの走行方向に関して横方向にも、すなわちその（両方の）軸方向端面においても、さらなる（同様にその固有の回転軸の周りに回転可能に取り付けられた）支持ロール又は支持ローラによって、力接続又は摩擦接続を通じて（ロール及び支持ロール／支持ローラ又は外側面／表面が、互いに接して転動する）支持される。
【０００９】
すなわち、ロールの軸方向において、ロールの、（ロールの軸方向端面において）水平支持をもたらす形状−摩擦接続が、（両側において）その側方に取り付けられ、垂直方向に方向付けられた、支持ロール又は支持ローラの形状を有するローラを通じて生じる。すなわち、これらの支持ローラの回転軸は、支持ローラによって支持されるべきロールの回転軸に対して垂直に、又は、（ロールが水平になるように位置合わせされている場合は）垂直になるように位置合わせされている。
【００１０】
このような、ロールを軸方向において支持する支持ローラは、（その回転軸に関して）軸方向に（も）湾曲した走行面／外側面／表面（「たる形」）を供給しており、支持ローラの最大直径になる周囲円は（周囲円又は周囲円面は、その回転軸に対して垂直な支持ローラの断面を通じて生じる）、ロールの回転軸に関して径方向にオフセットされている。
【００１１】
それによって、（両側で）横方向又は軸方向においてロールの端面に配置されたこれらの支持ローラは、それぞれ、その表面上の線（すなわちロールの端面と／端面上での線形力接続又は摩擦接続を形成する周囲円）に沿って、ロールの各軸方向端面上を転動し、その軸方向における動きを制限する。
【００１２】
場合によっては、ロールは、軸方向において機械的な遊びを有しているので、必ずしもつねに両側の２つの支持ローラが同時に接触されるのではなく、ロールはその間で「自由に浮動する」。
【００１３】
従って、このような「自由に浮動する」ロールは、中間ロール、支持ロール／支持ローラ、及び、圧延材によって、それぞれの接触を通じて力接続によって保持される。ロールを交換する際、圧延機スタンドは開かれ、ロールは、いわゆる「バランスアーム」によって支持される。
【００１４】
実践からは、まさにこの種の、支持ローラによるロールの横方向又は軸方向の支持が、大きな問題を引き起こし得ることが明らかになっている。
【００１５】
（ロールの直径が小さいゆえの）高いロール（回転）速度と、（圧延されるべき比較的高強度又は高強度の圧延材ゆえの）加えられる大きな圧延荷重とゆえに、及び、（力接続／摩擦接続に）関与する表面／外側面の摩耗現象（触れ合う／接触し合う表面／外側面は機械的に摩耗する）に基づいて、すなわちそこでは、接触線に沿った、制限されていない転動運動（「線形接触」、周囲円）の代わりに、これらの横方向の支持ローラとロールの端面との間で、摩擦事象が繰り返し生じる。
【００１６】
当該摩擦事象は、必然的に、高い摩擦熱も生じさせ、最悪の場合には、圧延機スタンドの発火及び全焼までもがもたらされる（圧延機スタンドの内側領域全体には、圧延油が存在しており、圧延油は非常に高い温度において発火し得る）。
【発明の概要】
【発明が解決しようとする課題】
【００１７】
本発明の課題は、内部に取り付けられた少なくとも１つの作業ロールを有する圧延機スタンドであって、摩擦挙動及び摩耗挙動が改善され、構造的に単純に設計された圧延機スタンドを提供することにある。
【課題を解決するための手段】
【００１８】
本発明によると、本課題は、請求項１に記載の特徴を有する圧延機スタンドによって解決される。本発明の有利なさらなる発展形態は、従属請求項及び以下の説明の対象である。
【００１９】
本発明に係る圧延機スタンドは、軸方向において向かい合う２つの端面を有する、圧延機スタンド内で浮動し、軸方向に延在する回転軸の周りに回転可能に取り付けられた作業ロール（以下において短縮してロールとのみ表記する）を有し、少なくとも１つの軸受モジュールを供給しており、当該軸受モジュールは、作業ロールの２つの端面の内の１つに配置され、ハウジングを有しており、当該ハウジング内には、作業ロールが、固定軸受アセンブリを用いて取り付けられている。
【００２０】
軸受モジュールを用いて、ロールは、圧延機スタンド内で浮動式に支持されている。すなわち、単純かつ短く表現すると、ロールを固定軸受アセンブリを用いて支承する軸受モジュールは、圧延機スタンド内に「浮動するように」受容されている。
【００２１】
「軸の」又は「軸方向の」は、ロールの回転軸に関して、その「長手方向の延在部分」又は「長手方向の延在方向」として理解してよい。「半径の」又は「径方向」は、「軸の」又は「軸方向」に対して垂直に方向付けられた延在部分である。
【００２２】
特に、このような軸受モジュールは、ロールの２つの端面のいずれに配置されていてもよく、軸受モジュールのハウジング内には、ロールが固定軸受アセンブリを用いて受容されている。
【００２３】
その際、固定軸受アセンブリは、軸受コンセプト又は軸受アセンブリ／軸受構造（ロール等の、軸方向に延在する回転軸の周りに回転する部材の支承のための）であると理解可能であり、軸受コンセプト又は軸受アセンブリ／軸受構造は、支承されるべき部材又はロールを、（回転軸に関して）軸方向において明確に配置する。
【００２４】
このような固定軸受アセンブリは、つまり、径方向力も軸方向力（両方の軸方向における軸方向力）も吸収し、これらの力を、ハウジング又は軸受モジュールのハウジング等の、支承されるべき部材又はロールを「包囲する」構造に誘導するであろう。
【００２５】
この固定軸受アセンブリは、基本的に、例えば転がり軸受（又は場合によっては滑り軸受も）等の、単独の軸受によって（ここでは、それぞれ変位しないように配置された外輪又は内輪を有する深溝玉軸受又は４点接触軸受等の、単独の軸受によって、軸方向力と径方向力とが吸収される）実現し得る。
【００２６】
軸方向荷重又は径方向荷重が非常に高い場合、しばしば、２つの軸受、例えば２つの転がり軸受（又は場合によっては２つの滑り軸受も）が、固定軸受の機能を果たすために用いられる。例えば、予圧（転がり）軸受アセンブリ（ここでは、例えば２つの鏡像配置されたアンギュラ玉軸受若しくは円すいころ軸受等の、２つの固定軸受が互いに対してクランプされる）、又は、固定−浮動軸受アセンブリ（ここでは、軸方向力と径方向力とが分かれて２つの軸受に分配される。すなわち、専ら軸方向力を吸収するスラスト軸受、及び、専ら径方向力を吸収するラジアル軸受、例えばスラストころ軸受（軸方向力のため）を伴う円筒ころ軸受（径方向力のため））である。
【００２７】
固定支承が転がり軸受によって行われる場合、摩擦及び摩耗を避けるために、転がり軸受は、グリースで潤滑されているか、又は、オイルで潤滑されていてよく、特にグリースで潤滑されていてよい。
【００２８】
その際、「浮動式に支持されている」が意味するところによると、特に、支持される部材、ここでは（圧延機スタンド内の）ロールが、その位置において明確には、又は、（圧延機スタンド内で）不動には固定されておらず（すなわち、「浮動している」又は並進的に変位可能）、軸受モジュールを通じて支持される「のみ」であり、それによって、ロール又はロールと軸受モジュールとから成る構造ユニットが圧延機スタンド内に受容されているが、（並進的な）自由度が（ロールに関して）可能であり、当該自由度は、圧延機スタンド内でのロールの（並進的な）位置変更、例えばロールの軸方向及び／又は水平方向の変位を可能にする。
【００２９】
それによって、軸受アセンブリ又はロールを変形させることなく、特にロール及び／又は軸受モジュールにおける機械的又は熱的な長さの変化を吸収することができる。
【００３０】
例えば、軸受モジュールの垂直方向の支持が圧延機スタンド内で行われる場合、それによって、圧延機スタンド内におけるロールの水平方向の可動性が保証され得る。２つの部材の互いに対する軸方向における伸縮自在の可動性を通じて、ロールの軸方向の可動性が実現し得る場合、部材は、軸方向において、軸受モジュールと圧延機スタンド又は圧延機スタンド内のロール支台との間に配置されている。
【００３１】
本発明の基礎を成す考察及び認識は、従来の回転するロール上で転動する支持ローラを用いてロールを支承する場合、回転するロール上で転動する支持ローラに基づいて、部材内、すなわち支持ローラ内で、「（静的）支持機能」（ここでは、ロールが軸方向に支持される）と、同時に、「移動自由機能」（ここでは、ロールの回転運動又は回転自由度が、ロールと支持ローラとの間における動的な転動運動によって可能になる）とが組み合わされるというものである。
【００３２】
（単独の）部材、ここでは支持ローラが、これら２つの、それ自体異なる機能、すなわち「静的支持機能」と「移動自由機能」とを組み合わせる場合、この（単独の）部材は、極めて異なる負荷を受けることになり、両方の機能を果たさなければならない。しかしながら、この高い負荷は、支持ローラにおける摩耗問題（と、下流の後続の問題）の原因である。
【００３３】
当該考察又は認識を実行すべく、本発明は、これら２つの機能、すなわち「静的支持機能」及び「移動自由機能」の「構造的かつ機能的」分割又は分離を設けている。
【００３４】
従って、「移動自由機能」は、作業ロールが、「古典的な」固定軸受アセンブリを用いて、軸受モジュール内又はそのハウジング内に取り付けられる／受容されることによって実現する。回転の自由度は、専ら固定軸受アセンブリによって可能になり、それによって、「不動の」（すなわち回転していない）ハウジング又は軸受モジュールにおいて、ロールが、「不動の」ハウジング又は軸受モジュールに対して回転する。
【００３５】
ロールが、軸受モジュール又はそのハウジング内で、固定軸受アセンブリを通じて受容されている場合、（ロールに関する）「静的支持機能」は、ハウジング又は軸受モジュールが、圧延機スタンド内、例えば圧延機スタンド内のロール支台内で、「浮動式に支持又は受容される」ことによって実現し得る。このような「不動の」ロール支台と「不動の」ハウジング又は軸受モジュールとの間には、回転の相対運動が（もはや）生じず、これに対して、並進的な変位が（「浮動する」ので）可能である。
【００３６】
簡単に表現すると、「静的支持」は、軸受モジュール／ハウジングと圧延機スタンドとの間で行われ、「回転／回転の自由度」は、ロールとハウジング／軸受モジュールとの間で、固定軸受アセンブリを用いて行われる。端的に言うと、「支持」と「回転／回転の自由度」とは切り離されている。
【００３７】
作業ロールが片側において、上述した種類の軸受モジュールを用いて、浮動式に支持されている圧延機スタンドは、例えば国際公開第２００５／０１１８８５号、又は、特開平１０−８０７０８号公報に開示されている。
【００３８】
本発明ではさらに、軸受モジュールが、支持装置を有しており、当該支持装置を用いて、軸受モジュールが圧延機スタンド内で軸方向に支持可能であることが規定されている。
【００３９】
軸受モジュールの支持装置は、圧延機スタンドの動作中に作業ロールに作用する軸方向力を、圧延機スタンド、特に圧延機スタンドのロール支台に誘導することを可能にする。それによって、圧延機スタンドのより確実かつより安定した動作が可能になる。
【００４０】
言い換えると、本発明では、軸受モジュールを用いて、ロールの「浮動式の」支承／支持だけではなく、圧延機スタンドへの、特に圧延機スタンドのロール支台への軸方向力の誘導も実現し得る。
【００４１】
国際公開第２００５／０１１８８５号、又は、特開平１０−８０７０８号公報に記載の圧延機スタンドの場合、軸受モジュールは、軸受モジュール（とロールとの）の軸方向の支持のための支持装置を有していないが、当該圧延機スタンドとは異なり、本発明の場合、圧延機スタンドに、特に圧延機スタンドのロール支台に軸方向力を誘導できる、（軸受モジュールに加えて）別個の構造ユニットは必要ない。それによって、圧延機スタンドの構造的に単純な設計が可能になる。
【００４２】
国際公開第２００５／０１１８８５号、又は、特開平１０−８０７０８号公報に記載の圧延機スタンドでは、軸方向力が、軸受モジュールの反対側に配置された軸方向調整手段を通じて、圧延機スタンド又はロール支台に誘導される。本発明では、基本的に、このような軸方向調整手段を省略できる。
【００４３】
好ましいさらなる発展形態によると、固定軸受アセンブリは、転がり軸受構造、特に予圧転がり軸受構造を用いて実現することが規定されている。
【００４４】
固定軸受アセンブリを構成する転がり軸受構造は、１つのみの（転がり）軸受を用いて、しかし特に、予圧（転がり）軸受アセンブリの場合に必要であれば、２つの（又は必要であればそれより多くの）（転がり）軸受を用いて、実現し得る。
【００４５】
さらなる発展形態において、予圧転がり軸受構造が設けられている場合、転がり軸受構造の予圧は、Ｘ配置又はＯ配置の形で実現されていてよい。支持の幅を広げるためには、Ｏ配置で予圧することが適切であり得る。
【００４６】
さらに、さらなる発展形態では、転がり軸受構造、特に予圧転がり軸受構造は、少なくとも１つの第１の、及び、少なくとも１つの第２の、互いに予圧を与え合う円すいころ軸受又は球面ころ軸受又はアンギュラ玉軸受を用いて実現されているということも規定され得る。
【００４７】
特に好ましくは、Ｏ配置において互いに予圧が加えられた第１及び第２の円すいころ軸受が用いられ得る。
【００４８】
個々の（転がり）軸受の負荷、特に互いに対して予圧を加えられた（転がり）軸受それぞれの負荷を減少させるために、第１及び／第２の（転がり）軸受、特に円すいころ軸受の内の複数を用いることを規定してよい。
【００４９】
別のさらなる発展形態によると、軸受モジュール、特にハウジングが、周囲に対して、特に１つ又は複数のシール、特に回転軸シール及び／又はＶリングシール及び／又はОリングシール及び／又はラビリンスシールを用いて密封される、及び／又は、カプセル化されることが規定されている。従って、固定軸受アセンブリ又はハウジング内部は、汚れやほこり等の環境負荷から保護され、それと共に、その寿命も延長され得る。
【００５０】
好ましいさらなる発展形態によると、支持装置が、軸受モジュールのハウジングに配置されていることが規定されている。支持装置を用いて、ハウジングとロールとが、圧延機スタンド内で、例えばロール支台において軸方向に支持可能であり得る。
【００５１】
軸受モジュール（とロールとの）可能な限り明確な軸方向支持を実現するためには、支持装置が、例えば圧延機スタンド内の平板に対する軸方向支持のために、キャンバーを備えた端面（「ハウジングストッパ」）を有していると都合が良い。支持装置の端面におけるキャンバーを通じて、理想的には、支持接触を点接触に減少させることが可能であり、当該点接触は、径方向の障害／制限から免れている。
【００５２】
好ましくは、軸受モジュールは、バネ要素、特にコイルバネを含んでいる。さらに、支持装置が、第１の部材及び第２の部材を有していると有利である。さらに、さらなる発展形態では、支持装置の２つの部材が、軸方向において互いに対して変位可能（望遠鏡のように）である（また、このような方法で、ロールの（軸方向の）浮動式の支承が実現する）と規定してよい。それによって、妨害等が生じることなく、特にロールの機械的又は熱的な長さの変化を吸収することが可能である。有利には、支持装置の両方の部材は、軸方向において、バネ要素を用いてクランプ可能である。
【００５３】
第１の部材は、例えば、軸受モジュールのハウジングの一部、特にハウジングカバーと一体的に構成されていてよい。好ましくは、第１の部材は、片側が開放された中空シリンダとして構成されている。当該中空シリンダは、その開放端に、有利には径方向に突出した縁部を有している。さらに、第２の部材が、片側が開放された中空シリンダとして構成されていると好ましい。当該中空シリンダは、その内側延在部分で、有利には第１の部材の縁部を包囲している。
【００５４】
さらに、径方向外側に位置し、作業ロールに対向する第２の部材の端面に、内径が第１の部材の縁部の直径よりも小さい環状ワッシャが固定されていると規定してよい。
【００５５】
上述のバネ要素は、有利には、第１の部材の空洞に配置されている。その第１の端部で、バネ要素は、好ましくは軸受モジュールのハウジングに対して支持されている。その第２の端部で、バネ要素は、好ましくは径方向内側に位置する、作業ロールに対向する第２の部材の端面に対して支持されている。
【００５６】
さらなる発展形態によると、固定軸受アセンブリは、ロールの両方の端面の内の一方に配置された、ほぼ軸方向に延在するロール延長部分を有しており、当該ロール延長部分の上に固定軸受アセンブリが「座っており」、すなわち、当該ロール延長部分の上には、固定軸受アセンブリの軸受が、例えば（予圧）円すいころ軸受が、特に、複数の第１の及び／又は第２の転がり軸受又は円すいころ軸受を有する構成で配置されている。
【００５７】
さらなる発展形態では、好ましくは、固定軸受アセンブリを構成する転がり軸受の、特に円すいころ軸受の内輪が、特に複数の第１の及び／又は第２の転がり軸受又は円すいころ軸受が存在する場合に、ロール延長部分上に、特にロール延長部分上で内輪の間に配置されたスペーサリング及び／又はシャフトナットを用いてクランプされていると規定してもよい。
【００５８】
外輪の場合も、すなわち、固定軸受アセンブリを構成する転がり軸受、特に円すいころ軸受の外輪の間に、特に複数の第１の及び／又は第２の転がり軸受又は円すいころ軸受が存在する場合に、このようなスペーサリングを設けてもよい。
【００５９】
まさに複数の第１及び第２の転がり軸受又は円すいころ軸受が存在する場合に、このような精密製造されたスペーサリングを用いて、転がり軸受又は円すいころ軸受での力の分配が最適化され得る。
【００６０】
特に「内側の」スペーサリングと「外側の」スペーサリングとの調整を通じて、支持力が、転がり軸受、特に円すいころ軸受の外輪で均等に分配されて、ハウジング内に誘導され得る。
【００６１】
クランプは、好ましくはロール延長部分上のオフセット、ショルダー等によって実現され、当該オフセット、ショルダー等に対して、固定軸受アセンブリを構成する転がり軸受、特に円すいころ軸受の内輪がクランプされる。このために、シャフトナットが、ロール延長部分の「自由端」にネジで固定されていてよい。
【００６２】
ロール延長部分が（その、自由端の反対側の端部で）、ロールにネジで固定され、特にセンタリングされてネジで固定されているか、又は、ロールと一体的に構成されていると適切である。まさにロールにネジで固定され得るロール延長部分において、特に軸受モジュールのさらなる分解を必要とせずに、より容易で柔軟かつ迅速な（従って費用が安価で時間を節約できる）ロールの交換が、例えばロールが摩耗した場合、又は、ロール間隙が変化した場合に可能である。
【００６３】
ロールが、好ましくは全体的に硬化している場合、ロール延長部分は硬化していないと規定してもよい。
【００６４】
別の好ましいさらなる発展形態によると、軸受モジュール、特にハウジングが、担体要素、特に曲げシリンダ上における可動支持（「浮動支持」）のための支持面を備えた少なくとも１つの保持要素（「耳たぶ」）を有することが規定されている。好ましくは、２つの当該保持要素が、ハウジング上に設けられていてよい。
【００６５】
ロール交換の際に、ロールが、１つ又は複数の保持要素を通じて、圧延機スタンドを側方において開放した後、１つ又は複数の担体要素／曲げシリンダによって／１つ又は複数の担体要素／曲げシリンダ上で担持される場合、及び、ロールが、引き続いて、対応する装置（スライド等）によって、圧延機スタンドから取り出され得る場合、「バランスアーム」を省略することが可能である。
【００６６】
圧延機スタンドでの組み立て／分解作業を容易にするためには、ハウジングが複数の部分から構成され、特に、２つのカバー（「内側／外側カバー」）と、これら２つのカバーの間に受容された中間要素（「チョック」）とから構成されていることが適切であり得る。
【００６７】
当該中間要素には、好ましくは１つ又は複数の保持要素が配置されており、例えばネジで固定されており、中間要素と一体的に構成されている。
【００６８】
別のさらなる発展形態によると、ロールは、約１５０ｍｍから約２００ｍｍ、特に約１５０ｍｍから約１８０ｍｍの範囲の直径、特に約１８０ｍｍの直径を有していることが規定されている。
【００６９】
さらに、好ましくは、圧延機スタンドが２つの軸受モジュールを有していることを規定してもよい。有利には、両方の軸受モジュールの内の一方は、作業ロールの２つの端面の内の一方に配置されており、両方の軸受モジュールの内の他方は、作業ロールの２つの端面の内の他方に配置されており、それによって、ロールが、圧延機スタンド内で両側において（浮動式に）支承される。
【００７０】
上述の本発明の有利な態様に関する説明は、多くの特徴を含んでおり、これらの特徴は、各従属請求項において、部分的に、群としてまとめられて描写されている。しかしながら、合理的なことに、これらの特徴は、個別に考慮されることも可能であり、有意義なさらなる組み合わせにまとめられることも可能である。特に、これらの特徴は、それぞれ個別に、かつ、任意の適切な組み合わせにおいて、本発明に係る圧延機スタンドと組み合わせることが可能である。
【００７１】
明細書又は請求項において、いくつかの概念が、それぞれ単数形又は数詞と共に用いられるとしても、当該概念に関する本発明の範囲が、単数形またはそれぞれの数詞に限定されるべきではない。さらに、「ａ」又は「ａｎ」は、数詞としてではなく、不定冠詞として理解されるべきである。
【００７２】
上述の本発明の特性、特徴及び利点と、これらを得るための方法とは、本発明の１つ又は複数の実施例についての、図面を用いて詳細に行われる以下の説明との関連においてより明確、かつ、より理解しやすくなる。１つ又は複数の実施例は、本発明の説明に資するものであり、本発明を、実施例で記載される特徴の組み合わせに限定するものではなく、機能的特徴に関しても限定しない。加えて、このために適した各実施例の特徴は、実施例から離れて、明確に分離しても考察可能であり、その補足のために別の実施例に導入可能であり、いずれかの請求項に組み合わされ得る。示されているのは、以下の図である。
【図面の簡単な説明】
【００７３】
【図１】圧延機スタンドに取り付けられた２つの作業ロールと共に、圧延機スタンドの構造を概略的に示した図である。
【図２】軸受モジュールと共に、作業ロールの一部を示した図である（断面図）。
【図３】軸受モジュールと共に、作業ロールの一部を示した図である（斜視図）。
【発明を実施するための形態】
【００７４】
図１は、圧延機スタンド１の構造を概略的に示しており、圧延機スタンド１は、２つの、そのそれぞれ軸方向に延在する回転軸９の周りに回転可能に、（浮動式に）取り付けられた作業ロール２を、圧延材の、ここでは高強度の鋼の成形のため、すなわち圧延のために有している。
【００７５】
その際、それぞれ約１８０ｍｍの直径を有する２つの作業ロール２は、予め調整可能又は調整可能な間隔において、（その回転軸に関して）互いに平行に、圧延機スタンド１内に（概ね垂直に重なり合って）配置されており、それによって、２つの作業ロール２の間に、ロール間隙が形成され、圧延材は、当該ロール間隙を通過し、その際に成形、すなわち圧延される。
【００７６】
このような直径の小さいロールの場合、（駆動）トルクは、もはやロール（の軸方向端面）に配置された駆動ピンを通じて直接には伝達され得ないので、図１に示したように、２つの作業ロール２は、作業ロール２に対して（そのそれぞれの回転軸９に関して）平行に配置され、そのそれぞれの外側面／表面を通じて、（駆動されるべき）作業ロール２と力接続又は摩擦接続された中間ロール３４を用いて駆動される。
【００７７】
両方の作業ロール２（以下においては、短縮してロール２とのみ記す）は、構造的に概ね同じであり、図１が示すように、単にその「上側」及び「下側」ロール２としての配置に応じて、その取り付け環境に関してわずかな差異を有している。しかしながら、機能的構造的要素は、両方のロール２において、基本的に同じである。
【００７８】
図２及び図３は、それぞれ、ロール２の一部を、ロール２の（軸方向）端面３（又は４）に配置された軸受モジュール６と共に示しており、軸受モジュール６を用いて、ロール２が、圧延機スタンド１内に（浮動式に）取り付けられ、又は、受容されている。
【００７９】
第２の（対称的に同一の）軸受モジュール６は、ロール２の他方の（視認不可能な）（軸方向）端面４（又は３）に、第１の軸受モジュール６に対応して配置されている（図示されていない）。
【００８０】
図２及び図３が示すように、軸受モジュール６は、密封又はカプセル化された（複数の部分から成り、ネジで固定可能である／ネジで固定された）ハウジング７を供給しており、ハウジング７内では、ロール２が、ハウジング７内の固定軸受アセンブリ８を用いて、軸方向５及び径方向３９において正確に位置決めされて、回転可能に受容／取り付けられている。
【００８１】
ハウジング７（及びロール２）は、同様に、軸方向において、そのロール２に背向する端面３５を通じて、端面３５に配置された支持装置１７（「ハウジングストッパ」）を用いて、圧延機スタンド１内又はロール支台（図示せず）上で支持される。
【００８２】
（支持装置１７とロール支台との間の）支持接触を、理想的には、点接触に減少させるために、図２及び図３から明らかであるように、支持装置１７は、ロール２／軸受モジュール６又はハウジング７のロール支台での軸方向支持１０のための、軸方向の、キャンバーを備えた端面１８を有している。
【００８３】
図２が示すように、支持装置１７又は「ハウジングストッパ」は、軸方向５において互いに対して変位可能である２つの部材１９、２０を有しており（このような方法で／それによって、圧延機スタンド１内でのロール２の軸方向に変位可能又は軸方向に浮動する支承／支持１０を実現しており）、２つの部材１９、２０は、軸方向５において、バネ要素２１、ここではコイルバネ２１を用いてクランプ可能である（それによって、ロール２が、圧延機スタンド１内で軸方向において固定又はクランプ可能である）。それによって、妨害等が生じることなく、特にロール２の機械的又は熱的な長さの変化を吸収することが可能である。圧延の際に、中間ロール３４を有するロール２と圧延材との間に生じる相互作用に起因する変位も、それによって吸収され得る。
【００８４】
図３に示すように、支持装置１７は、第１の、フランジ様の、軸方向に延在する部材１９を有しており、部材１９は、軸方向外側に位置する（すなわち、ロール２の軸方向５において背向して、「内側」及び「外側」は、ロール２に関する軸方向５においてであると理解される）ハウジング７のハウジングカバー３１と一体的に／ハウジングカバー３１上に構成されている。
【００８５】
この支持装置１７の第１の部材１９は、片側が開放された中空シリンダに類似しており、当該中空シリンダは、その軸方向において開放された（軸方向外側に位置する）端部に、径方向に突出した縁部３６（フランジに類似した）を有している。
【００８６】
支持装置１７の第２の部材２０は、同様に概ねシリンダ状に形成されており、その軸方向外側の端面１８は、支持装置１７のキャンバーを備えた面１８を（圧延機スタンド１内での、又は、ロール支台に対する軸方向支持のため）供給、又は、形成しており、第２の部材２０は、図２から明らかであるように、その内側延在部分３７上で、又は、その内側延在部分３７で、（ネジで固定可能な）環状ワッシャ３８を用いて、第１の部材１９の縁部３６を外側から包囲している。
【００８７】
図２が示すように、包囲の内側では、第２の部材２０は、軸方向の変位経路４０を供給しており、当該軸方向の変位経路４０上で、第１の部材１９又はその径方向縁部３６が、第２の部材２０に対して軸方向に変位可能（「軸方向に浮動する」）である。
【００８８】
第１の部材１９の径方向縁部３６の軸方向厚さ４１が、約１２ｍｍの設けられた変位経路４０に対して、約７ｍｍである場合、第１の部材１９の、第２の部材２０に対する、ほぼ５ｍｍの、自由な軸方向の可動性が生じる。
【００８９】
支持装置１７の第１の部材１９を、支持装置１７の第２の部材２０に対してクランプし、同時に、長さの変化を補償可能にするために、図２も示すように、コイルバネ２１が設けられており、コイルバネ２１は、第１の部材１９の、片側が開放された中空シリンダ状部分の内側に配置されており、その第１の（軸方向内側に位置する）端部４２は、外側ハウジングカバー３１の軸方向外側端面４３に対して支持されており、その第２の（軸方向外側に位置する）端部４４は、第２の部材２０の（軸方向内側に位置する）端面４５に対して支持されている。
【００９０】
さらに図２及び図３が示すように、ハウジング７は、３つのハウジング部分３１、３２、３３を、すなわち上述した軸方向外側に位置するハウジングカバー３１と、軸方向内側に位置するハウジングカバー３２と、軸方向外側に位置するハウジングカバー３１と軸方向内側に位置するハウジングカバー３２との間に（軸方向において）配置された中間要素３３と、を有している。
【００９１】
これら３つのハウジング部分３１、３２、３３は、複数の植え込みボルト２７を用いて、互いに螺合されており、（その接合部において）シール要素１６を用いて、ここではゴムシールリング１６を用いて密封されている。
【００９２】
図１から図３も示すように、ハウジング７（及びロール２）は、ハウジング７又は中間要素３３にネジで固定された２つの保持アーム２８（「耳たぶ」）（特に図３を参照のこと）を用いて、圧延機スタンド１内で、さらなる垂直方向の、又は、垂直に変位可能／浮動する支持１１を受けており、図１が示すように、保持アーム２８は、圧延機スタンド１内での垂直支持１１のために、支持面２９で、圧延機スタンド１内に配置された曲げシリンダ３０又はそのシリンダロッドに載置される（軸受モジュール６／ハウジング７又はロール２は、水平に（並進的に）変位可能（「浮動するように」）になり、それによってロール２が、ストリップの走行方向において（も）、ある程度の移動の遊びを有することが可能になる）。
【００９３】
ロール２の、曲げシリンダ３０上での垂直の、又は、垂直に浮動する支持１１によって、従来の「バランスアーム」を省略することも可能になる。
【００９４】
図２が示すように、軸受モジュール６内又はハウジング７内でのロール２の取り付けは、ロール延長部分２２を用いて行われ、ロール延長部分２２は、（軸方向の）端面で、（軸方向の）ロール端面３（又は４）に、センタリングピン４６を用いてセンタリングされて、ロール延長部分２２上に形成されたフランジ４７を通じて、植え込みボルト２７を用いてネジで固定されている。
【００９５】
ロール延長部分２２又はその軸方向自由端４８は、内側に位置するハウジングカバー３２内に形成されている開口部４９を通って、ハウジング７内に入り、ハウジング７において、固定支承アセンブリ８を用いて回転可能に取り付けられている。
【００９６】
図３に示すように、シール１６、この場合は複数の回転軸シールリング又はシャフトシールリング１６を用いて（径方向及び軸方向の構成及び配置において）、ハウジング７、すなわち、軸方向内側に位置するハウジングカバー３２は、ロール延長部分２２又はその自由端４８に対して（周囲１５、すなわち湿気、圧延油、ほこり等に対して）密閉されており、それによって、軸受モジュール６のための完全にカプセル化された「軸受ハウジング」７が形成される。
【００９７】
図２が示すように、当該ロール延長部分２２上には（密封された／カプセル化されたハウジング７内部で）、（（予圧）転がり軸受構造１２から）４つの円すいころ軸受１３、１４が配置されており、２つの、軸方向において最も外側、又は、軸方向において最も外側に離れて位置している円すいころ軸受１３、１４は、Ｏ配置で配置されている。別の２つの（軸方向内側に位置する）円すいころ軸受１４は、その軸方向外側の隣接する円すいころ軸受１４に対応して配置されている／位置決めされている。
【００９８】
図２も示すように、シャフトナット２６を用いて、円すいころ軸受１３、１４、すなわちその内輪２３は、ロール延長部分２２上の（径方向）オフセット５０に押し付けられる。
【００９９】
円すいころ軸受１３、１４の内輪２３の間では、精密製造された中間リング／スペーサリング２５が、最適化された（すなわち均等に分配された）各軸受への力の分配のために配置されている。
【０１００】
３つの軸方向内側に位置する、１つの支持方向を構成する円すいころ軸受１４の外輪１４の間には、同様に、精密製造された中間リング／スペーサリング２５が、最適化された（すなわち均等に分配された）各軸受への力の分配のために配置されている。
【０１０１】
これら３つの軸方向内側に位置する、１つの支持方向を構成する円すいころ軸受１４の、最も離れて軸方向外側に位置する円すいころ軸受１４の外輪２４は、軸方向内側で、ハウジング中間要素３３の、径方向内側に向かって延在するオフセット（ショルダー）５１に当接しており、軸方向において最も外側の円すいころ軸受１３の外輪２４は、軸方向外側で、ハウジング中間要素３３の、径方向内側に向かって延在するオフセット５１に当接しており、軸方向外側に位置するハウジングカバー３１によって保持される。
【０１０２】
精密製造された「内側」の中間リング／スペーサリング２５と、「内側」中間リング／スペーサリング２５との調整によって、支持力が、円すいころ軸受１４の外輪２４を通して均等に分散されて、径方向内側に向かって延在するオフセット（ショルダー）５１を通じて、ハウジング７内に誘導される。
【０１０３】
軸受モジュール６の、その保持アーム２８を用いた、圧延機スタンド１内での垂直の／垂直に浮動する支持１１によって、又は、軸受モジュール６若しくはロール２の水平の（並進的な）可動性によって、及び、一方において圧延機スタンド１若しくはロール支台に対して支持装置１７を用いた、及び、軸受モジュール６内でのロール２の固定軸受アセンブリ８を用いた、軸受モジュール６若しくはロール２の軸方向の可動性によって、「支持」と「回転／回転の自由度」とは、ロール２において分離しており、この分離は、ロール２の取り付けに、摩耗を減少させるように作用する。
【０１０４】
加えて、当該軸受モジュール６を用いたロール２の取り付けで、ロールを交換する際に、ロール２は、軸受モジュール６のハウジング７上の保持アーム２８を通じて、圧延機スタンド１が側方において開放された後も、圧延機スタンド１内の曲げシリンダ３０によって保持され、続いて、対応する装置（スライド等）によって取り出されることが可能であり、それによって、ロール交換が著しく容易になる。
【０１０５】
ロール延長部分２２が、ロール２とネジで固定されている「のみ」である場合、ロール延長部分２２を、圧延機スタンド１からロール２を取り外した後「即座に」、次の、使用準備のできたロール２にネジで取り付けることが可能であり、他方では、「使用された」ロール２を、オーバーホールに回すことが可能である。
【０１０６】
それによって、有利には、実際の摩耗部分（つまりロール２自体）のみを交換すればよく、他方では、ロール延長部分２２は、即座に、次の使用準備のできたロール２にネジで取り付けられ、ロール２、ロール延長部分２２及び軸受モジュール６から成る構造は、再び圧延機スタンド１内に取り付けられ得る。
【０１０７】
ロール延長部分２２も、直径の異なるロール２にネジで固定可能であり、「つねに使用中」である。すなわち、実際に圧延機スタンド１において必要とされる数（場合によってはさらに予備の分も）のロール延長部分２２を用意すればよく、他方では、より多い数のロール２（例えば様々な圧延要件のために、異なる直径を有し、予想される交換後の仕上げ時間に適応したロール２）が供給され得る。
【０１０８】
加えて、軸受モジュール６又はこれに関して実現されるロール２の取り付けは、新しい圧延材片を圧延機スタンド１内に投入する際に、付加的な利点を提供する。つまり、この際、新しい圧延材片の端面による機械的な衝突（損傷リスク）を回避するためには、「上側の」ロール２と「下側の」ロール２とを、一方では、離して移動させなければならない。このようにロール２を離して移動させることは、曲げシリンダ３０によって支援され、曲げシリンダ３０は、「上側の」ロール２を、その保持アームを通じて、適切に持ち上げ、又は、「下側の」ロール２を、適切に下降させる。
【０１０９】
付加的に、及び、従来のオーバーハング作業ロールとは異なり、ロール２は、曲げシリンダ３０によって、（ロール２を駆動している）中間ロール３４に対して押圧され得るので、ロール２は、中間ロール３４によって、圧延材の速度にまで加速され、それによって、引き続いて、ロール間隙を設定圧延厚さになるように通過する際、ロール２の圧延材との、対応して軟らかく、ロールを傷めない接触が生じる。
【０１１０】
軸受モジュール６のハウジング７がカプセル化され、密封されている場合、従って、内側に位置する固定軸受アセンブリ８が、外部の影響から保護されている場合、それによって、軸受要素の寿命は何倍も延長される。
【０１１１】
本発明が、１つ又は複数の好ましい実施例によって、詳細に図示かつ説明されたが、本発明は、１つ又は複数の開示された例によって限定されるものではなく、本発明の保護範囲を離れることなく、他の変型例を当該例から導き出すことが可能である。
【符号の説明】
【０１１２】
１  圧延機スタンド
２  作業ロール、ロール
３  ２の（軸方向）端面
４  ２の（軸方向）端面
５  軸方向
６  軸受モジュール
７  （密封され、カプセル化された）（軸受）ハウジング
８  固定軸受アセンブリ
９  回転軸
１０  （軸方向に）浮動する取り付け／（軸方向）支持
１１  （垂直に）浮動する取り付け／（垂直）支持
１２  （予圧）転がり軸受構造、軸受
１３  （第１の）円すいころ軸受
１４  （第２の）円すいころ軸受
１５  周囲
１６  シール／シール要素、回転軸シール、Ｖリングシール、Ｏリングシール、ラビリンスシール
１７  支持装置
１８  １７の軸方向の、キャンバーを備えた端面、２０の軸方向外側の端面
１９  １７の第１の部材
２０  １７の第２の部材
２１  バネ要素、コイルバネ
２２  ロール延長部分
２３  （１２、１３又は１４の）内輪
２４  （１２、１３又は１４の）外輪
２５  精密製造された中間リング／スペーサリング
２６  シャフトナット
２７  （センタリングされた）ネジ固定、（植え込み）ボルト
２８  保持要素／保持アーム（「耳たぶ」）
２９  支持面
３０  担持要素、曲げシリンダ
３１  （軸方向外側に位置する）ハウジングカバー
３２  （軸方向内側に位置する）ハウジングカバー
３３  中間要素
３４  中間ロール
３５  ７の（軸方向）端面
３６  １９の（径方向に突出する）縁部、フランジ
３７  ２０の内側延在部分
３８  環状ワッシャ
３９  径方向
４０  軸方向の変位経路
４１  ３６の軸方向厚さ
４２  ２１の第１の（軸方向内側に位置する）端部
４３  ３１の軸方向外側の端面
４４  ２１の第２の（軸方向外側に位置する）端部
４５  ２０の軸方向内側に位置する端面
４６  センタリングピン
４７  ２２上のフランジ
４８  ２２の軸方向自由端
４９  ３２の開口部
５０  ２２上の（径方向）オフセット
５１  ３３上の径方向内側に向かって延在するオフセット
【図１】
2021518814.tif 000003
【図２】
2021518814.tif 000004
【図３】
2021518814.tif 000005
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
軸方向において向かい合う２つの端面（３、４）を有する、圧延機スタンド（１）内で浮動し、軸方向に延在する回転軸（９）の周りに回転可能に取り付けられた作業ロール（２）と、
少なくとも１つの軸受モジュール（６）であって、前記作業ロール（２）の２つの端面（３、４）の内の１つに配置され、前記作業ロール（２）が前記圧延機スタンド（１）内で浮動式に支持される際に用いられ、ハウジング（７）を有しており、前記ハウジング内には、前記作業ロール（２）が、固定軸受アセンブリ（８）を用いて取り付けられている少なくとも１つの軸受モジュール（６）と、
を有する圧延機スタンド（１）において、
前記軸受モジュール（６）は、支持装置（１７）を有しており、前記支持装置を用いて、前記軸受モジュール（６）は、前記圧延機スタンド（１）内で軸方向に支持可能であることを特徴とする圧延機スタンド（１）。
【請求項２】
前記固定軸受アセンブリ（８）が、転がり軸受構造（１２）を用いて実現されていることを特徴とする、請求項１に記載の圧延機スタンド（１）。
【請求項３】
前記固定軸受アセンブリ（８）が、予圧転がり軸受構造（１２）を用いて実現されていることを特徴とする、請求項１に記載の圧延機スタンド（１）。
【請求項４】
前記軸受モジュール（６）が、周囲（１５）に対して、回転軸シール（１６）及び／又はＶリングシール（１６）及び／又はＯリングシール（１６）及び／又はラビリンスシール（１６）を用いて密閉及び／又はカプセル化されていることを特徴とする、請求項１から３のいずれか一項に記載の圧延機スタンド（１）。
【請求項５】
前記軸受モジュール（６）の前記ハウジング（７）が、周囲（１５）に対して、密閉及び／又はカプセル化されていることを特徴とする、請求項４に記載の圧延機スタンド（１）。
【請求項６】
前記支持装置（１７）が、前記軸受モジュール（６）の前記ハウジング（７）上に配置されており、前記支持装置（１７）を用いて、前記ハウジング（７）が、前記圧延機スタンド（1）内で軸方向に支持可能であることを特徴とする、請求項１から５のいずれか一項に記載の圧延機スタンド（１）。
【請求項７】
前記支持装置（１７）が、軸方向支持のために、キャンバーを備えた端面（１８）を有していることを特徴とする、請求項１から６のいずれか一項に記載の圧延機スタンド（１）。
【請求項８】
前記軸受モジュール（６）が、バネ要素（２１）を含んでおり、前記支持装置（１７）は、第１の部材及び第２の部材（１９、２０）を有しており、２つの部材（１９、２０）が、軸方向（５）において互いに対して変位可能であり、軸方向（５）において、前記バネ要素（２１）を用いてクランプ可能であることを特徴とする、請求項１から７のいずれか一項に記載の圧延機スタンド（１）。
【請求項９】
前記第１の部材（１９）が、片側が開放された中空シリンダとして構成されており、前記中空シリンダは、前記中空シリンダの開放端に、径方向に突出した縁部（３６）を有しており、前記第２の部材（２０）は、片側が開放された中空シリンダとして構成されており、前記中空シリンダは、前記中空シリンダの内側延在部分（３７）で、前記第１の部材（１９）の前記縁部（３６）を包囲していることを特徴とする、請求項８に記載の圧延機スタンド（１）。
【請求項１０】
径方向外側に位置し、前記作業ロール（２）に対向する前記第２の部材（２０）の端面に、内径が前記第１の部材（１９）の前記縁部（３６）の直径よりも小さい環状ワッシャ（３８）が固定されていることを特徴とする、請求項９に記載の圧延機スタンド（１）。
【請求項１１】
前記バネ要素（２１）が、前記バネ要素の第１の端部（４２）で、前記軸受モジュール（６）の前記ハウジング（７）に対して支持されており、前記バネ要素の第２の端部（４４）で、径方向内側に位置する、前記作業ロール（２）に対向する前記第２の部材（２０）の端面（４５）に対して支持されていることを特徴とする、請求項８から１０のいずれか一項に記載の圧延機スタンド（１）。
【請求項１２】
前記固定軸受アセンブリ（８）が、前記作業ロール（２）の両方の端面（３、４）の内の一方に配置された、軸方向に延在するロール延長部分（２２）を有しており、前記ロール延長部分の上に、前記固定軸受アセンブリ（８）の軸受（１２）が配置されていることを特徴とする、請求項１から１１のいずれか一項に記載の圧延機スタンド（１）。
【請求項１３】
転がり軸受（１２）の内輪（２３）が、前記ロール延長部分（２２）上に、前記ロール延長部分（２２）上で前記内輪（２３）の間に配置されたスペーサリング（２５）及び／又はシャフトナット（２６）を用いてクランプされていることを特徴とする、請求項１２に記載の圧延機スタンド（１）。
【請求項１４】
円すいころ軸受（１３、１４）の内輪（２３）が、前記ロール延長部分（２２）上に、前記ロール延長部分（２２）上で前記内輪（２３）の間に配置されたスペーサリング（２５）及び／又はシャフトナット（２６）を用いてクランプされていることを特徴とする、請求項１２に記載の圧延機スタンド（１）。
【請求項１５】
前記ロール延長部分（２２）が、前記作業ロール（２）にネジで固定されて（２７）いるか、又は、前記作業ロール（２）と一体的に構成されていることを特徴とする、請求項１２から１４のいずれか一項に記載の圧延機スタンド（１）。
【請求項１６】
前記ハウジング（７）が、担体要素（３０）上での可動支持のための支持面（２９）を備えた、少なくとも１つの保持要素（２８）を、前記圧延機スタンド（１）内に有していることを特徴とする、請求項１から１５のいずれか一項に記載の圧延機スタンド（１）。
【請求項１７】
前記ハウジング（７）が、曲げシリンダ（３０）上での可動支持のための支持面（２９）を備えた、少なくとも１つの保持要素（２８）を、前記圧延機スタンド（１）内に有していることを特徴とする、請求項１から１６のいずれか一項に記載の圧延機スタンド（１）。
【請求項１８】
前記ハウジング（７）が２つのカバー（３１、３２）と、前記２つのカバーの間に受容された中間要素（３３）とから構成されていることを特徴とする、請求項１から１７のいずれか一項に記載の圧延機スタンド（１）。
【請求項１９】
２つの軸受モジュール（６）が設けられており、２つの前記軸受モジュール（６）の内の一方は、前記作業ロール（６）の２つの前記端面（３、４）の内の一方に配置されており、２つの前記軸受モジュール（６）の内の他方は、前記作業ロール（２）の２つの前記端面（３、４）の内の他方に配置されていることを特徴とする、請求項１から１８のいずれか一項に記載の圧延機スタンド（１）。
【国際調査報告】
2021518814.tif 000006
2021518814.tif 000007
2021518814.tif 000008
2021518814.tif 000009
2021518814.tif 000010